(57)【特許請求の範囲】
【請求項１】
防露ヒータとして機能する透明導電膜を全面に被着した透明ガラス板と、
前記透明ガラス板の上縁と下縁とに沿って配設され、電源に接続して前記透明導電膜に通電する一対の外部接続電極と、
前記外部接続電極を被覆する態様で透明ガラス板を保持する上下一対となる横枠及び前記横枠の幅に比して狭い幅で形成され前記透明ガラス板を保持する左右一対の縦枠とからなるフレームと
を備えたことを特徴とするショーケース用扉体。
【請求項２】
前記透明導電膜によって構成された導電膜ガラスヒータと前記フレームに設けられたガラス枠防露ヒータとを直列に接続したことを特徴とする請求項１に記載のショーケース用扉体。
【発明の詳細な説明】
【技術分野】
【０００１】
本発明は、冷蔵ショーケースの前面開口を閉塞するショーケース用扉体に関する。
【背景技術】
【０００２】
冷蔵ショーケースの前面開口を閉塞するショーケース用扉体は、防露ヒータとして機能する透明導電膜を全面に被着した透明ガラス板と、透明ガラス板の両側縁に沿って配設され、電源に接続して透明導電膜に通電する一対の外部接続電極とを備えている（たとえば、特許文献１参照）。
【先行技術文献】
【特許文献】
【０００３】
【特許文献１】特開平６−２９４５７３号公報
【発明の概要】
【発明が解決しようとする課題】
【０００４】
しかしながら、上述したショーケース用扉体において、外部接続電極は透明ガラス板の表面に露出しているため、外部接続電極とフレームとに囲まれた領域では透明ガラス板の表面で結露する。
【０００５】
本発明は、上記に鑑みてなされたものであって、透明ガラス板の表面における結露を防止できるショーケース用扉体を提供することを目的とする。
【課題を解決するための手段】
【０００６】
上述した課題を解決し、目的を達成するために、本発明は、防露ヒータとして機能する透明導電膜を全面に被着した透明ガラス板と、前記透明ガラス板の上縁と下縁とに沿って配設され、電源に接続して前記透明導電膜に通電する一対の外部接続電極と、前記外部接続電極を被覆する態様で透明ガラス板を保持する上下一対となる横枠及び前記横枠の幅に比して狭い幅で形成され前記透明ガラス板を保持する左右一対の縦枠とからなるフレームとを備えたことを特徴とする。
【０００７】
また、本発明は、上述したショーケース用扉体において、前記透明導電膜によって構成された導電膜ガラスヒータと前記フレームに設けられたガラス枠防露ヒータとを直列に接続したことを特徴とする。
【発明の効果】
【０００８】
本発明にかかるショーケース用扉体は、外部接続電極を被覆する態様で透明ガラス板を保持する上下一対となるフレームを備えたので、外部接続電極とフレームとに囲まれた領域が露出しなくなり、透明ガラス板の表面における結露を防止できる。
【０００９】
また、透明導電膜によって構成された導電膜ガラスヒータとフレームに設けられたガラス枠防露ヒータとを直列に接続したので、透明導電膜の抵抗値の変動による消費電力の変動を導電ガラスヒータとガラス枠防露ヒータとを並列に接続する場合よりも小さくできる。
【図面の簡単な説明】
【００１０】
【図１】図１は、本発明の実施の形態であるショーケース用扉体で前面開口を閉塞したショーケースの正面図である。
【図２】図２は、本発明の実施の形態であるショーケース用扉体を示す斜視図である。
【図３−１】図３−１は、図２に示したショーケース用扉体を示す正面図である。
【図３−２】図３−２は、図３−１に示したショーケース用扉体の要部を示す拡大図である。
【図４】図４は、導電膜ガラスヒータとガラス枠防露ヒータの接続を示す回路図である。
【発明を実施するための形態】
【００１１】
以下に、本発明にかかるショーケース用扉体の実施の形態を図面に基づいて詳細に説明する。なお、この実施の形態によりこの発明が限定されるものではない。
【００１２】
図１は、本発明の実施の形態であるショーケース用扉体で前面開口を閉塞したショーケースの正面図であり、図２は、本発明の実施の形態であるショーケース用扉体を示す斜視図である。また、図３−１は、図２に示したショーケース用扉体を示す正面図であり、図３−２は、図３−１に示したショーケース用扉体の要部を示す拡大図である。
【００１３】
ここで例示するショーケースは、コンビニエンスストア、スーパーマーケットなどの店舗に設置され、冷蔵商品、冷凍商品などの商品を冷蔵状態または冷凍状態に保持するもので、前面開口が本発明の実施の形態であるショーケース用扉体１（以下、扉体と称する）により閉塞され、ショーケースから商品を取り出す場合、ショーケースに商品を補充する場合に扉体１が開閉される。
【００１４】
図１に示すように、本発明の実施の形態である扉体１は、ショーケースの前面開口を閉塞した状態で、ショーケースに収容した商品を外部から視認可能とするもので、透明ガラス板１１を備えている。
【００１５】
図２に示すように、透明ガラス板１１は、矩形のガラス板であり、前面となる一方の面に防露ヒータとして機能する透明導電膜１２が被着してある。透明導電膜１２は、歩留まりを考慮して製造管理され、透明導電膜１２の抵抗値は±２０％の変動が許容されている。したがって、たとえば、透明導電膜１２が構成する導電膜ガラスヒータ２が１２５Ｗの容量を必要とする場合には、透明導電膜１２の抵抗値が４８Ω〜８０Ωの範囲に属するものを採用することになる。
【００１６】
図３に示すように、透明ガラス板１１の前面上縁部と前面下縁部とには、電源（図示せず）に接続して、透明導電膜１２に通電する一対の外部接続電極１３が配設してある。
【００１７】
また、扉体１は、透明ガラス板１１の前面上縁部に配設した外部接続電極１３を被覆する態様で透明ガラス板１１の上縁を保持する上枠３１と、透明ガラス板１１の前面下縁部に配設した外部接続電極１３を被覆する態様で透明ガラス板１１の下縁を保持する下枠３２とを備えており、これら上枠３１と下枠３２とは、上下一対となる横枠（フレーム３０）を構成する。
【００１８】
また、扉体１は、透明ガラス板１１の左縁を保持する左枠３３と、透明ガラス板１１の右縁を保持する右枠３４とを備えており、これら左枠３３と右枠３４とは、左右一対となる縦枠（フレーム３０）を構成する。なお、縦枠（左枠３３，右枠３４）は、外部接続電極を被覆する必要がないので、横枠（上枠３１，下枠３２）に較べて幅を狭くするとともに厚みを薄くすることができ、扉体１の透視可能面積が拡大し、視認性が向上する。
【００１９】
上述した横枠（上枠３１，下枠３２）と縦枠（左枠３３，右枠３４）とは、金属製、樹脂製、または金属と樹脂とを複合したものであり、図２に示すように、内部にガラス枠防露ヒータ４が設けてある。ガラス枠防露ヒータ４は、横枠（上枠３１，下枠３２）と縦枠（左枠３３，右枠３４）の外表面に結露する事態を防止するためのもので、電源に接続して、ガラス枠防露ヒータ４に通電すると横枠（上枠３１，下枠３２）と縦枠（３３，３４）が温められる。
【００２０】
図４は、導電膜ガラスヒータとガラス枠防露ヒータの接続を示す回路図である。図４に示すように、透明導電膜１２が構成する導電膜ガラスヒータ２と、ガラス枠防露ヒータ４とは、直列に接続してある。
【００２１】
以上説明したように、本発明の実施の形態であるショーケース用扉体１は、外部接続電極１３を被覆する態様で透明ガラス板１１を保持する上下一対となる上枠３１と下枠３２（横枠）を備えたので、外部接続電極１３とフレーム３０とに囲まれた領域が露出することがなくなり、透明ガラス板１１の表面における結露を防止できる。
【００２２】
また、縦枠（左枠３３，右枠３４）が外部接続電極１３を被覆する必要がないので、縦枠（左枠３３，右枠３４）の幅を狭くするとともに厚みを薄くすることができ、扉体１の透視可能面積が拡大し、視認性が向上する。さらに、外部接続電極１３が露出しないので、扉体１の見栄えが良くなる。
【００２３】
つぎに、導電膜ガラスヒータ２とガラス枠防露ヒータ４とを並列に接続するのと直列に接続するのとどちらが有利であるか検証する。ここでは、本発明の実施の形態である導電膜ガラスヒータ２の必要容量を１２５Ｗ、ガラス枠防露ヒータ４の必要容量を６０Ｗとし、導電膜ガラスヒータ２の抵抗値は、透明導電膜の膜厚により±２０％変動するものとする。
【００２４】
まず、導電膜ガラスヒータ２とガラス枠防露ヒータ４とを並列に接続した場合について検証する。
（１）導電膜ガラスヒータ２の抵抗は、８０Ωである。
Ｒ＝Ｅ２／Ｐ（Ｒ：抵抗，Ｅ：電圧，Ｐ：電力）より
Ｒ＝１００２／１２５＝８０（Ω）
（２）導電膜ガラスヒータ２の消費電力は、１２５Ｗ〜２０８Ｗの間で変動する。
Ｐ＝Ｅ２／Ｒより
Ｐmin＝１００２／８０＝１２５（Ｗ）
Ｐmax＝１００２／（８０×０．６）＝２０８（Ｗ）
（３）導電膜ガラスヒータ２に流れる電流は、１．２５Ａ〜２．０８Ａの間で変動する。
Ｉ＝Ｅ／Ｒより
Ｉmin＝１００／８０＝１．２５（Ａ）
Ｉmax＝１００／（８０×０．６）＝２．０８（Ａ）
（４）ガラス枠防露ヒータ４の抵抗は、１６６Ωである。
Ｒ＝Ｅ２／Ｐより
Ｒ＝１００２／６０＝１６６（Ω）
なお、ガラス枠防露ヒータ４の容量は導電膜ガラスヒータ２と異なり変動しない。
（５）ガラス枠防露ヒータ４に流れる電流は、０．６Ａである。
Ｉ＝Ｅ／Ｒより
Ｉ＝１００／１６６＝０．６（Ａ）
（６）導電膜ガラスヒータ２とガラス枠防露ヒータ４とを並列に接続した場合に流れる電流は、最大２．６８Ａである。
Ｉmax＝２．０８＋０．６＝２．６８（Ａ）
【００２５】
つぎに、導電膜ガラスヒータ２とガラス枠防露ヒータ４とを直列に接続した場合について検証する。
（１）導電膜ガラスヒータ２とガラス枠防露ヒータ４の消費電力は、１８５Ｗである。
Ｐ＝Ｐ１＋Ｐ２
（Ｐ１：導電膜ガラスヒータのヒータ容量，Ｐ２：ガラス枠防露ヒータのヒータ容量）
Ｐ＝１２５＋６０＝１８５（Ｗ）
（２）導電膜ガラスヒータ２とガラス枠防露ヒータ４に流れる電流は、１．８５Ａである。
Ｉ＝Ｐ／Ｅより
Ｉ＝１８５／１００＝１．８５（Ａ）
（３）導電膜ガラスヒータ２の抵抗は、３６．５２〜２１．９１Ωの間で変動する。
Ｒ＝Ｐ／Ｉ２より
Ｒ１max＝１２５／１．８５２＝３６．５２（Ω）
Ｒ１min＝３６．５２×０．６＝２１．９１（Ω）
（４）ガラス枠防露ヒータ４の抵抗は、１７．５３である。
Ｒ＝Ｐ／Ｉ２より
Ｒ２＝６０／１．８５２＝１７．５３（Ω）
なお、ガラス枠防露ヒータ４の抵抗は導電膜ガラスヒータ２と異なり変動しない。
（５）導電膜ガラスヒータ２とガラス枠防露ヒータ４を直列に接続した場合の抵抗は、３９．４４Ωである。
Ｒ＝Ｒ１＋Ｒ２より
Ｒ＝２１．９１＋１７．５３＝３９．４４（Ω）
（６）導電膜ガラスヒータ２とガラス枠防露ヒータ４とを直列に接続した場合に流れる電流は、最大２．５３Ａである。
Ｉ＝Ｅ／Ｒより
Ｉmax＝１００／３９．４４＝２．５３（Ａ）
【００２６】
したがって、導電膜ガラスヒータ２とガラス枠防露ヒータ４とを並列に接続した場合に流れる電流と直列に接続した場合に流れる電流とでは、０．１５Ａの差がある。
Ｉ＝２．６８−２．５３＝０．１５（Ａ）
【００２７】
導電膜ガラスヒータ２とガラス枠防露ヒータ４とを並列に接続した場合に較べて直列に接続した場合は６％の消費電力を抑制できることを意味する。また、ヒータ容量も６％抑制できることも意味するので、ヒータが過熱する事態も防止できる。
【００２８】
以上説明したように、本発明の実施の形態であるショーケース用扉体１は、導電膜ガラスヒータ２とガラス枠防露ヒータ４を直列に接続したので、並列に接続する場合よりも消費電力を抑制でき、導電膜ガラスヒータ２とガラス枠防露ヒータ４とが過熱する事態も防止できる。
【符号の説明】
【００２９】
１    扉体（ショーケース用扉体）
１１    透明ガラス板
１２    透明導電膜
１３    外部接続電極
２    導電膜ガラスヒータ
３０    フレーム
３１    上枠（横枠）
３２    下枠（横枠）
３３    左枠（縦枠）
３４    右枠（縦枠）
４    ガラス枠防露ヒータ
【図１】
0005640501.tif 000002
【図２】
0005640501.tif 000003
【図３−１】
0005640501.tif 000004
【図３−２】
0005640501.tif 000005
【図４】
0005640501.tif 000006